(57)【要約】      （修正有）【課題】輝度の面内均一性に優れた大型の面光源装置を提供する。【解決手段】面光源装置２０は、複数の光源２２を有するベース部３０と、ベース部３０に対向して配置された照度分布調整板６０と、ベース部３０と照度分布調整板６０との間に配置されたスペーサ部材５０と、を備える。スペーサ部材５０は、ベース部３０及び照度分布調整板６０が対向する方向に非平行な直線Ｌｘ、Ｌｙを軸として屈曲又は湾曲する曲部５５を有している。【選択図】図２
2020119711.tif 000002
【特許請求の範囲】
【請求項１】
複数の光源を有するベース部と、
前記ベース部に対向して配置された照度分布調整板と、
前記ベース部と前記照度分布調整板との間に配置されたスペーサ部材と、を備え、
前記スペーサ部材は、前記ベース部及び前記照度分布調整板が対向する方向に非平行な直線を軸として屈曲又は湾曲する曲部を有している
面光源装置。
【請求項２】
請求項１に記載の面光源装置であって、
前記スペーサ部材は、第１方向に配列され前記第１方向と交差する第２方向に延びる複数の壁部と、前記第２方向に配列され前記第１方向に延びる複数の壁部と、を有し、
前記壁部は、２方向に延びる前記壁部が交差する交差部と、各交差部の間に位置する非交差部と、を有し、
前記曲部は、前記壁部の前記非交差部に設けられている
面光源装置。
【請求項３】
請求項２に記載の面光源装置であって、
前記曲部は、前記壁部の前記照度分布調整板側の面及び前記ベース部側の面の少なくとも一方に設けられた切欠溝を有する
面光源装置。
【請求項４】
請求項３に記載の面光源装置であって、
前記切欠溝は、前記ベース部及び前記照度分布調整板が対向する方向からの観察において、前記光源から直接に前記切欠溝に到達する光の進行方向から傾いた方向に向かって前記壁部を横切るように形成されている
面光源装置。
【請求項５】
請求項２に記載の面光源装置であって、
前記曲部は、前記壁部の前記照度分布調整板側の面及び前記ベース部側の面の少なくとも一方に設けられた切込みを有する
面光源装置。
【請求項６】
請求項２に記載の面光源装置であって、
前記曲部は、前記ベース部及び前記照度分布調整板が対向する方向に沿った厚さが前記スペーサ部材の前記曲部以外の部分よりも薄い肉薄部により構成されている
面光源装置。
【請求項７】
請求項２に記載の面光源装置であって、
前記曲部は、前記壁部の前記曲部以外の部分を構成する材料よりも可撓性を有する材料からなる可撓性部材により構成されている
面光源装置。
【請求項８】
請求項１に記載の面光源装置であって、
前記スペーサ部材は、第１方向に配列され前記第１方向と交差する第２方向に延びる複数の壁部と、前記第２方向に配列され前記第１方向に延びる複数の壁部と、を有し、
前記壁部は、前記第２方向に延びる前記壁部が交差する交差部と、各交差部の間に位置する非交差部と、を有し、
前記曲部は、前記壁部の前記交差部に設けられている
面光源装置。
【請求項９】
請求項８に記載の面光源装置であって、
前記曲部は、前記ベース部及び前記照度分布調整板が対向する方向に沿った厚さが前記スペーサ部材の前記曲部以外の部分よりも薄い肉薄部により構成されている
面光源装置。
【請求項１０】
請求項８に記載の面光源装置であって、
前記曲部は、前記壁部の前記交差部の入隅部に形成された切欠部を有している
面光源装置。
【請求項１１】
請求項８に記載の面光源装置であって、
前記曲部は、前記壁部の前記曲部以外の部分を構成する材料よりも可撓性を有する材料からなる可撓性部材により構成されている
面光源装置。
【請求項１２】
請求項８に記載の面光源装置であって、
前記スペーサ部材は、前記第２方向に配列され前記第１方向に延びる複数の壁部を有する第１スペーサ構成部材と、前記第１スペーサ構成部材に積層され、前記第１方向に配列され前記第２方向に延びる複数の壁部を有する第２スペーサ構成部材と、を有し、
前記第１スペーサ構成部材は、前記第１スペーサ構成部材の前記壁部の前記第２スペーサ構成部材側となる面における前記第２スペーサ構成部材の前記壁部と交差する領域に、第１凹部を有し、
前記第２スペーサ構成部材は、前記第２スペーサ構成部材の前記壁部の前記第１スペーサ構成部材側となる面における前記第１スペーサ構成部材の前記壁部と交差する領域に、第２凹部を有し、
前記第１凹部と前記第２凹部とは、お互いに噛み合っており、
第１凹部の深さと第２凹部の深さとの和が前記壁部の高さより大きい
面光源装置。
【請求項１３】
請求項１に記載の面光源装置であって、
前記スペーサ部材は、第１方向に配列され前記第１方向と交差する第２方向に延びる複数の壁部と、前記第２方向に配列され前記第１方向に延びる複数の壁部と、を有する複数の第３スペーサ構成部材を有し、
前記第３スペーサ構成部材は、長辺の長さが１００ｍｍ以下であり、
複数の前記第３スペーサ構成部材は、前記第１方向及び前記第２方向に配列されており、
互いに隣接する前記第３スペーサ構成部材の間の領域が前記曲部となっている
面光源装置。
【請求項１４】
複数の光源を有するベース部と、
前記ベース部に対向して配置された照度分布調整板と、
前記ベース部と前記照度分布調整板との間に配置されたスペーサ部材と、を備え、
前記スペーサ部材は、前記ベース部及び前記照度分布調整板が対向する方向からの観察において互いに重なる共通の形状を有し且つ前記ベース部及び前記照度分布調整板が対向する方向に積層された複数の第４スペーサ構成部材を有する
面光源装置。
【請求項１５】
複数の光源を有する光源基板積層体と、
前記光源基板積層体を支持するベース部材と、
前記光源基板積層体に対向して配置された照度分布調整板と、
前記光源基板積層体と前記照度分布調整板との間に配置されたスペーサ部材と、
前記光源基板積層体と前記ベース部材との間に配置され、前記光源基板積層体と接する領域の前記光源基板積層体及び前記照度分布調整板が対向する方向における位置のばらつきを、前記ベース部材の前記光源基板積層体側の面の前記光源基板積層体及び前記照度分布調整板が対向する方向における位置のばらつきよりも、緩和させるように構成された高さ調整部材と、
を備える
面光源装置。
【請求項１６】
請求項１５に記載の面光源装置であって、
前記高さ調整部材は、前記ベース部材の前記光源基板積層体側の面に配置された硬化性樹脂によって構成され、
前記硬化性樹脂の前記光源基板積層体及び前記照度分布調整板が対向する方向における厚みの平均値は、０．５ｍｍ以上である
面光源装置。
【請求項１７】
請求項１５に記載の面光源装置であって、
前記高さ調整部材は、前記ベース部材側の面が前記ベース部材の前記光源基板積層体側の面の湾曲に追随する形状を有し、前記光源基板積層体側の面のうちの少なくとも一部が同一の平面内において前記光源基板積層体の前記ベース部材側の面と接する形状を有する補正部材として構成されている
面光源装置。
【請求項１８】
請求項１５に記載の面光源装置であって、
前記高さ調整部材は、前記ベース部材に分散して保持された複数の調整ねじを有し、
前記調整ねじは、前記ベース部材を貫通し、もしくは途中まで差し込まれ、且つ、前記光源基板積層体側への突出長さを調整可能に前記ベース部材に保持されている
面光源装置。
【請求項１９】
請求項１から１８のいずれか１つに記載の面光源装置であって、
面状の光を出射する出光面を有し、
前記出光面の長辺の長さが２００ｍｍ以上である
面光源装置。
【請求項２０】
請求項１から１９のいずれか１つに記載の面光源装置と、前記面光源装置の前記照度分布調整板と対向して配置された表示パネルと、を有する、表示装置。
【発明の詳細な説明】
【技術分野】
【０００１】
本開示は、面光源装置、及び、面光源装置を備える表示装置に関する。
【背景技術】
【０００２】
面状に発光する面光源装置が、例えば液晶表示装置に組み込まれた液晶表示パネルを背面側から照明するバックライトとして、広く普及している。液晶表示装置用の面光源装置は、大別すると、光学部材の側方に光源を配置するエッジライト型と、光学部材の直下に光源を配置する直下型と、に分類される。光源としては、例えば発光ダイオード（ＬＥＤ）が用いられる。
【０００３】
直下型の面発光装置直下型の面光源装置において、面光源装置を薄型化しながらムラのない映像を表示するために、光源と液晶表示パネルとの間に照度分布調整板を配置して、この照度分布調整板により面光源装置の発光面内の照度分布を調整する技術が知られている。
【０００４】
特許文献１には、ＬＥＤ光源と、光を透過せずに光を反射する材質からなる反射プレートと、を有する照明ユニットが開示されている。反射プレートにはマトリクス状に配列された複数の光通過孔が形成されている。複数の光通過孔の各々の開口面積は、ＬＥＤ光源と対向する対向部からの距離が短いほど小さくなっている。このような照明ユニットによれば、ＬＥＤ光源から直接到達する光の密度が高い位置に近い光通過孔ほど光通過量が少なくなり、ＬＥＤ光源から直接到達する光の密度が低い位置の光通過孔は光通過量が多くなる。これにより、反射プレートを通過する光の分布を均一に近づけることができ、照明装置の照射光の分布を均一に近づけることができる。
【０００５】
特許文献２には、ＬＥＤ実装基板と、照度分布調整板に相当する光学シートと、ＬＥＤ実装基板と光学シートとの間に配置されたスペーサ部材と、を備える面光源装置が開示されている。この面光源装置のスペーサ部材は、格子状の壁部を有している。
【先行技術文献】
【特許文献】
【０００６】
【特許文献１】特開２０１２−１７４３７２号公報
【特許文献２】特許第６４２４９９０号公報
【発明の概要】
【発明が解決しようとする課題】
【０００７】
特許文献２で開示されている格子状の壁部を有するスペーサ部材を備える面光源装置は、光学シートの撓みを抑制することなどを目的として、本願の出願人が開発したものである。しかし、本開示の発明者らの研究の結果、その技術をより大型の面光源装置に適用しようとすると、原因不明の輝度の面内均一性の悪化（つまり、輝度ムラ）の問題が生じることが新たに見出された。そして、本開示の発明者らのさらなる研究の結果、より大型の面光源装置においては、ＬＥＤ実装基板及びそれを支持するベース部材がわずかに湾曲しており、それにより、ＬＥＤ実装基板と照度分布調整板との間の距離の面内均一性が悪化していることが見出された。
【０００８】
つまり、本開示の発明者らは、大型の面光源装置において、新たな輝度の面内均一性の悪化の問題が生じることを見出すとともに、その輝度の面内均一性の悪化を抑制するためには、ＬＥＤ実装基板と照度分布調整板との間の距離の面内均一性を向上させる必要があることを見出した。ＬＥＤ実装基板と照度分布調整板との間の距離が変化すると輝度が変化する理由は、距離の変化により照度分布調整板の直下の照度が変化するためと、ＬＥＤ実装基板と照度分布調整板の間の繰り返し反射の状態が変化するためである。
【０００９】
本開示は、このような点に鑑みてなされたものであって、ＬＥＤ実装基板と照度分布調整板との間の距離の面内均一性を向上させることにより、輝度の面内均一性に優れた面光源装置を提供することを課題とする。
【課題を解決するための手段】
【００１０】
上記課題を解決するために、本開示の一実施形態の面光源装置は、複数の光源を有するベース部と、前記ベース部に対向して配置された照度分布調整板と、前記ベース部と前記照度分布調整板との間に配置されたスペーサ部材と、を備え、前記スペーサ部材は、前記ベース部及び前記照度分布調整板が対向する方向に非平行な直線を軸として屈曲又は湾曲する曲部を有している。
【００１１】
前記面光源装置は、前記スペーサ部材が、第１方向に配列され前記第１方向と交差する第２方向に延びる複数の壁部と、前記第２方向に配列され前記第１方向に延びる複数の壁部と、を有し、前記壁部が、２方向に延びる前記壁部が交差する交差部と、各交差部の間に位置する非交差部と、を有し、前記曲部が、前記壁部の前記非交差部に設けられているものであってもよい。前記曲部は、前記壁部の前記照度分布調整板側の面及び前記ベース部側の面の少なくとも一方に設けられた切欠溝を有していてもよい。前記切欠溝は、前記ベース部及び前記照度分布調整板が対向する方向からの観察において、前記光源から直接に前記切欠溝に到達する光の進行方向から傾いた方向に向かって前記壁部を横切るように形成されていてもよい。また、前記曲部は、前記壁部の前記照度分布調整板側の面及び前記ベース部側の面の少なくとも一方に設けられた切込みを有していてもよい。また、前記曲部は、前記ベース部及び前記照度分布調整板が対向する方向に沿った厚さが前記スペーサ部材の前記曲部以外の部分よりも薄い肉薄部により構成されていてもよい。また、前記曲部は、前記壁部の前記曲部以外の部分を構成する材料よりも可撓性を有する材料からなる可撓性部材により構成されていてもよい。
【００１２】
前記面光源装置は、前記スペーサ部材が、第１方向に配列され前記第１方向と交差する第２方向に延びる複数の壁部と、前記第２方向に配列され前記第１方向に延びる複数の壁部と、を有し、前記壁部が、前記第２方向に延びる前記壁部が交差する交差部と、各交差部の間に位置する非交差部と、を有し、前記曲部が、前記壁部の前記交差部に設けられているものであってもよい。また、前記曲部は、前記ベース部及び前記照度分布調整板が対向する方向に沿った厚さが前記スペーサ部材の前記曲部以外の部分よりも薄い肉薄部により構成されていてもよい。また、前記曲部は、前記壁部の前記交差部の入隅部に形成された切欠部を有していてもよい。また、前記曲部は、前記壁部の前記曲部以外の部分を構成する材料よりも可撓性を有する材料からなる可撓性部材により構成されていてもよい。
【００１３】
また、前記面光源装置は、前記スペーサ部材が、前記第２方向に配列され前記第１方向に延びる複数の壁部を有する第１スペーサ構成部材と、前記第１スペーサ構成部材に積層され、前記第１方向に配列され前記第２方向に延びる複数の壁部を有する第２スペーサ構成部材と、を有し、前記第１スペーサ構成部材が、前記第１スペーサ構成部材の前記壁部の前記第２スペーサ構成部材側となる面における前記第２スペーサ構成部材の前記壁部と交差する領域に、第１凹部を有し、前記第２スペーサ構成部材が、前記第２スペーサ構成部材の前記壁部の前記第１スペーサ構成部材側となる面における前記第１スペーサ構成部材の前記壁部と交差する領域に、第２凹部を有し、前記第１凹部と前記第２凹部とが、お互いに噛み合っており、第１凹部の深さと第２凹部の深さとの和が前記壁部の高さより大きいものであってもよい。
【００１４】
また、前記面光源装置は、前記スペーサ部材が、第１方向に配列され前記第１方向と交差する第２方向に延びる複数の壁部と、前記第２方向に配列され前記第１方向に延びる複数の壁部と、を有する複数の第３スペーサ構成部材を有し、前記第３スペーサ構成部材が、長辺の長さが１００ｍｍ以下であり、複数の前記第３スペーサ構成部材が、前記第１方向及び前記第２方向に配列されており、互いに隣接する前記第３スペーサ構成部材の間の領域が前記曲部となっているものであってもよい。
【００１５】
本開示の一実施形態の面光源装置は、複数の光源を有するベース部と、前記ベース部に対向して配置された照度分布調整板と、前記ベース部と前記照度分布調整板との間に配置されたスペーサ部材と、を備え、前記スペーサ部材は、前記ベース部及び前記照度分布調整板が対向する方向からの観察において互いに重なる共通の形状を有し且つ前記ベース部及び前記照度分布調整板が対向する方向に積層された複数の第４スペーサ構成部材を有するものである。
【００１６】
本開示の一実施形態の面光源装置は、複数の光源を有する光源基板積層体と、前記光源基板積層体を支持するベース部材と、前記光源基板積層体に対向して配置された照度分布調整板と、前記光源基板積層体と前記照度分布調整板との間に配置されたスペーサ部材と、前記光源基板積層体と前記ベース部材との間に配置され、前記光源基板積層体と接する領域の前記光源基板積層体及び前記照度分布調整板が対向する方向における位置のばらつきを、前記ベース部材の前記光源基板積層体側の面の前記光源基板積層体及び前記照度分布調整板が対向する方向における位置のばらつきよりも、緩和させるように構成された高さ調整部材と、を備える。前記高さ調整部材は、前記ベース部材の前記光源基板積層体側の面に配置された硬化性樹脂によって構成され、前記硬化性樹脂の前記光源基板積層体及び前記照度分布調整板が対向する方向における厚みの平均値は、０．５ｍｍ以上であってもよい。また、前記高さ調整部材は、前記ベース部材側の面が前記ベース部材の前記光源基板積層体側の面の湾曲に追随する形状を有し、前記光源基板積層体側の面のうちの少なくとも一部が同一の平面内において前記光源基板積層体の前記ベース部材側の面と接する形状を有する補正部材として構成されていてもよい。また、前記高さ調整部材は、前記ベース部材に分散して保持された複数の調整ねじを有し、前記調整ねじは、前記ベース部材を貫通し、もしくは途中まで差し込まれ、且つ、前記光源基板積層体側への突出長さを調整可能に前記ベース部材に保持されていてもよい。
【００１７】
また、前記面光源装置は、面状の光を出射する出光面を有し、前記出光面の長辺の長さが２００ｍｍ以上であってもよい。
【００１８】
本開示の一実施形態の表示装置は、前記面光源装置と、前記面光源装置の前記照度分布調整板と対向して配置された表示パネルと、を有する。
【発明の効果】
【００１９】
本開示の実施形態によれば、輝度の面内均一性に優れた面光源装置を提供することができる。
【図面の簡単な説明】
【００２０】
【図１】本開示による一実施形態を説明するための図であって、面光源装置を備えた表示装置の一具体例を概略的に示す図である。
【図２】本実施形態の面光源装置を概略的に示す分解斜視図である。
【図３】本実施形態の面光源装置を概略的に示す斜視図である。
【図４】本実施形態の面光源装置を概略的に示す縦断面図であって、図３のＡ−Ａ断面を示している。
【図５】本実施形態の面光源装置のスペーサ部材を概略的に示す横断面図であって、図４のＢ−Ｂ断面を示している。
【図６】本実施形態の面光源装置の照度分布調整板を概略的に示す正面図であって、図４のＣ−Ｃ断面である。
【図７】本実施形態の面光源装置の光源の周辺の拡大縦断面図であって、図４のＤ領域であり、図６のＥ−Ｅ断面である。
【図８】本実施形態の面光源装置に含まれる第１光学部材を構成する照度分布調整板の一つの区画領域を示す平面図であって、要素領域及び光透過孔の配置パターンの一例を示す図である。
【図９】本実施形態のスペーサ部材を概略的に示す斜視図である。
【図１０Ａ】本実施形態のスペーサ部材が光源基板積層体の湾曲に追随する態様を示す縦断面図であり、図９のＦ−Ｆ断面を示すものである。
【図１０Ｂ】比較例のスペーサ部材が光源基板積層体の湾曲に追随する態様を示す縦断面図であり、図９のＦ−Ｆ断面を示すものである。
【図１１】本実施形態のスペーサ部材の曲部の構成を示す斜視図である。
【図１２】第１変形例のスペーサ部材の曲部の構成を示す斜視図である。
【図１３】第２変形例のスペーサ部材の曲部の構成を示す斜視図である。
【図１４】第３変形例のスペーサ部材の曲部の構成を示す正面図である。
【図１５】第４変形例のスペーサ部材の曲部の構成を示す斜視図である。
【図１６】第５変形例のスペーサ部材の曲部の構成を示す斜視図である。
【図１７】第６変形例のスペーサ部材の曲部の構成を示す斜視図である。
【図１８】第７変形例のスペーサ部材の曲部の構成を示す斜視図である。
【図１９】第８変形例のスペーサ部材を概略的に示す斜視図である。
【図２０】第８変形例のスペーサ部材が光源基板積層体の湾曲に追随する態様を示す縦断面図であり、図１９のＧ−Ｇ断面を示すものである。
【図２１】第８変形例のスペーサ部材の曲部の構成を示す斜視図である。
【図２２】第９変形例のスペーサ部材の曲部の構成を示す正面図である。
【図２３】第１０変形例のスペーサ部材の曲部の構成を示す斜視図である。
【図２４】第１１変形例のスペーサ部材を概略的に示す斜視図である。
【図２５】第１２変形例のスペーサ部材の曲部の構成を示す斜視図である。
【図２６】第１２変形例のスペーサ部材の曲部の構成を示す分解斜視図である。
【図２７】第１３変形例のスペーサ部材の構成を示す斜視図である。
【図２８】第１４変形例のスペーサ部材の構成を示す斜視図である。
【図２９】第１４変形例のスペーサ部材の構成を示す分解斜視図である。
【図３０】本実施形態の高さ調整部材を有するベース部を示す縦断面図であり、図２のＨ−Ｈ断面を示すものである。
【図３１】第１５変形例の高さ調整部材を有するベース部を示す分解縦断面図であり、図２のＨ−Ｈ断面を示すものである。
【図３２】第１６変形例の高さ調整部材を有するベース部を示す縦断面図であり、図２のＨ−Ｈ断面を示すものである。
【発明を実施するための形態】
【００２１】
以下、図面を参照して本開示の実施形態について説明する。なお、本件明細書に添付する図面においては、図示と理解のしやすさの便宜上、適宜縮尺及び縦横の寸法比等を、実物のそれらから変更し誇張してある。
【００２２】
本明細書において、「板」、「シート」、「フィルム」の用語は、呼称の違いのみに基づいて、互いから区別されるものではない。例えば、「板」は「シート」や「フィルム」と呼ばれ得るような部材をも含む概念であり、したがって、例えば、「照度分布調整板」は、「照度分布調整シート」や「照度分布調整フィルム」と呼ばれる部材と、呼称の違いのみにおいて区別され得ない。
【００２３】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。なお、本明細書において、面及び板状（シート状、フィルム状）の部材の法線方向とは、対象となる面及び板状（シート状、フィルム状）の部材の板面への法線方向のことを指す。
【００２４】
さらに、本明細書において用いる、形状や幾何学的条件並びにそれらの程度を特定する、例えば、「平行」、「直交」、「同一」、「半分」等の用語や長さや角度の値等については、厳密な意味に縛られることなく、同様の機能を期待し得る程度の範囲を含めて解釈することとする。
【００２５】
図１は、本実施形態の面光源装置２０を備えた表示装置１０の一具体例を概略的に示す図である。以下、図１の実施形態を「本実施形態」という。表示装置１０は、出光面２０ａを有する面光源装置２０と、出光面２０ａと対向して配置された表示パネル１５と、を有している。図示された例では、表示パネル１５は透過型の液晶表示パネルとして構成されており、したがって表示装置１０は液晶表示装置として構成されている。本実施形態では、面光源装置２０はいわゆる直下型のバックライトを構成しており、表示パネル１５の背面側すなわち観察者と反対側から表示パネル１５を照明する。
【００２６】
図示された例では、表示パネル１５は、映像が表示される表示面１５ａが面光源装置２０の反対側を向くように配置されている。これにより、表示パネル１５の表示面１５ａが表示装置１０の表示面１０ａを形成する。表示パネル１５は、表示パネル１５の法線方向から見て、すなわち正面視において（つまり、Ｚ方向から見て）、矩形形状に形成されている。
【００２７】
面光源装置２０は、面状の光を出射する出光面２０ａを有しており、出光面２０ａの法線方向に出光面２０ａと対向する領域内に光源２２が設けられた、いわゆる直下型のバックライトとして構成されている。
【００２８】
本開示の実施形態の面光源装置２０を備えた表示装置１０の表示パネルは、透過型の液晶表示パネルに限定されず、光を印刷が施された透明なフィルム等を透過させて画像を表示するものや、光の一部を遮光物によって明暗を表示するものであってもよい。
【００２９】
図１を含む以下の図中及び以下の説明において、理解を容易にするために、面光源装置２０の出光面２０ａに平行であって互いに直交する２方向をＸ方向（図１の左右方向）及びＹ方向（図１の手前奥方向）とし、面光源装置２０の出光面２０ａに直交する方向、つまり、Ｘ方向及びＹ方向に直交する方向をＺ方向（図１の上下方向）とする。また、以下の説明において、Ｚ方向を垂直方向又は縦方向といい、ＸＹ面の面内方向を水平方向又は横方向ということもある。また、面光源装置２０の出光面２０ａ側を正面側とし、その反対側を背面側とする。また、面光源装置２０の出光面２０ａに平行であって互いに交差する２方向を「第１方向」及び「第２方向」とし、第１方向及び第２方向に直交する方向を「第３方向」とする。以下の説明において、文脈に反しない限りにおいて、「Ｘ方向」を「第１方向」に、「Ｙ方向」を「第２方向」に、「Ｚ方向」を「第３方向」に、それぞれ読み替えることが可能である。
【００３０】
図２は、本実施形態の面光源装置２０を概略的に示す分解斜視図である。
【００３１】
図２に示されるように、本実施形態の面光源装置２０は、光源２２を有するベース部３０と、スペーサ部材５０と、第１光学部材６０と、第２光学部材７０と、を有している。図示された例では、ベース部３０の上に、スペーサ部材５０及び第１光学部材６０が順に積層され、第１光学部材６０から所定の距離だけ離間して、第２光学部材７０が配置されている。ベース部３０は、光源２２を有する光源基板積層体４０と、光源基板積層体４０を支持するベース部材３５と、光源基板積層体４０とベース部材３５との間に配置され、光源基板積層体４０を平坦にする高さ調整部材３６と、を有している。第１光学部材６０は、照度分布調整板６０である。この照度分布調整板６０は、照度の面内分布を調整するように機能し、典型的には、その板面に沿った各位置での照度の分布を均一化させるように機能する。第２光学部材７０は、拡散板７１、第１光学シート７２及び第２光学シート７３が順に積層された積層体である。そして、第２光学部材７０の第２光学シート７３が面光源装置２０の出光面２０ａをなしている。
【００３２】
図３は、本実施形態の面光源装置２０を概略的に示す斜視図である。図４は、本実施形態の面光源装置２０を概略的に示す縦断面図であって、図３のＡ−Ａ線に沿った断面を示している。図５は、本実施形態の面光源装置２０のスペーサ部材５０を概略的に示す横断面図であって、図４のＢ−Ｂ線に沿った断面を示している。
【００３３】
光源２２は、例えば発光ダイオード（ＬＥＤ）等で構成され、照度分布調整板６０と対向して配置されている。本実施形態においては、図２によく示されているように、光源２２は、面光源装置２０の出光面２０ａに平行なＸ方向に沿って並べて配置される、すなわち配列される、とともに、面光源装置２０の出光面２０ａに平行且つＸ方向と交差するＹ方向に沿って配列される。なお、各光源２２の出力、すなわち、各光源２２の点灯及び消灯、及び／又は、各光源２２の点灯時の明るさは、他の光源２２の出力から独立して調節され得ることが好ましい。
【００３４】
スペーサ部材５０は、照度分布調整板６０を支持する部材であり、光源基板積層体４０と照度分布調整板６０との間を所定の距離に保つ機能を有している。図２、図４及び図５に示されているように、スペーサ部材５０は、ベース部３０と照度分布調整板６０との間において、各光源２２を取り囲んで他の光源から仕切る区画壁を形成する。このため、スペーサ部材５０は、壁部５１を有している。スペーサ部材５０によって、隣り合う二つの光源２２の間を仕切る壁部５１と、Ｘ方向またはＹ方向における最外方に位置する光源２２を区画してスペーサ部材５０の外輪郭を画成する壁部５１と、が設けられている。これにより、各光源２２に対応して、壁部５１で囲まれた開口５２が形成されている。
【００３５】
図示された例では、スペーサ部材５０は、平面視において（つまり、Ｚ方向から見て）、Ｘ方向に配列されＹ方向に延びる複数の壁部５１と、Ｙ方向に配列されＸ方向に延びる複数の壁部５１と、が格子状をなすように配置されている。開口５２は、光源２２の配置パターンに対応して設けられる。すなわち、スペーサ部材５０は、Ｘ方向及びＹ方向に配列された、複数の開口５２を有している。図示された例では、各開口５２は、平面視において（Ｚ方向から見て）矩形形状とりわけ正方形をなして形成されているが、開口５２の形状はこれに限られない。スペーサ部材５０の壁部５１のサイズは、一例として、幅（つまり、壁部５１が延びる方向に垂直な横方向の長さ）が２ｍｍであり、高さ（つまり、縦方向の長さ）が２ｍｍとすることが考えられる。また、スペーサ部材５０の開口のサイズは、一例として、正面視において（つまり、Ｚ方向から見て）、２０ｍｍ×２０ｍｍとすることが考えられる。
【００３６】
図示された例では、１つのスペーサ部材５０が３×３の９個の開口５２を有しているが、これは図面の理解のしやすさの観点によるものであり、通常は、より多くの開口５２を有している。スペーサ部材５０は、一例として、１６×３２の計５１２個の開口５２を有するものとすることが考えられる。図示された例では、１つのスペーサ部材５０が用いられているが、複数のスペーサ部材５０をＸ方向及びＹ方向に配列して用いることも考えられる。
【００３７】
また、本実施形態のスペーサ部材５０は、ベース部３０及び照度分布調整板６０が対向する方向に非平行な直線を軸として屈曲又は湾曲する曲部５５を有している。すなわち、曲部５５は、ベース部３０及び照度分布調整板６０が対向する方向に非平行な直線を軸として屈曲又は湾曲可能に構成された曲り箇所である。曲部５５は、ベース部３０及び照度分布調整板６０が対向する方向に対して、好ましくは４５°以上、１３５°以下の角度をなす直線を軸として屈曲又は湾曲可能であり、より好ましくは８０°以上、１００°以下の角度をなす直線を軸として屈曲又は湾曲可能である。典型的には、曲部５５は、ベース部３０及び照度分布調整板６０が対向する方向に対して垂直な直線を軸として屈曲又は湾曲可能である。図示された例におけるスペーサ部材５０は、ベース部３０及び照度分布調整板６０が対向する方向に対して垂直な直線、つまり、スペーサ部材５０の頂面を含む平面（ＸＹ平面）に平行な直線Ｌｘ、Ｌｙを軸として屈曲する曲部５５を有している。
【００３８】
図２に示されている例では、スペーサ部材５０の壁部５１に、Ｘ方向に配列されＹ方向に延びる複数の直線Ｌｙを軸として屈曲又は湾曲する複数の曲部５５と、Ｙ方向に配列されＸ方向に延びる複数の直線Ｌｘを軸として屈曲又は湾曲する複数の曲部５５と、が設けられている。このスペーサ部材５０の曲部５５により、ベース部３０の正面側の面（つまり、照度分布調整板６０側の面）が湾曲していたとしても、その湾曲にスペーサ部材５０を追随させることができる。このスペーサ部材５０の曲部５５の具体的構成については後述する。
【００３９】
このようなスペーサ部材５０は、例えばポリカーボネート樹脂、アクリロニトリル−ブタジエン−スチレン共重合樹脂（ＡＢＳ樹脂）、アクリロニトリル−スチレン−アクリレート共重合樹脂（ＡＳＡ樹脂）、アクリロニトリル−ブタジエン−スチレン共重合樹脂（ＡＥＳ樹脂）、ポリメチルメタクリレート樹脂（ＰＭＭＡ樹脂）、ポリアセタール樹脂、ポリ塩化ビニル樹脂、ポリエチレン樹脂、ポリプロピレン樹脂、ポリエチレンテレフタレート樹脂、又はこれらの樹脂を２種以上混合した混合物等で形成することができる。とりわけスペーサ部材５０は、実現したい照度分布に応じて、透明材料で構成してもよく、可視光波長域の光に対する高い反射性を有する材料で構成してもよい。また、このようなスペーサ部材５０は、一例として、射出成形により製造される。
【００４０】
図６は、本実施形態の面光源装置２０の照度分布調整板６０を概略的に示す正面図であって、図４のＣ−Ｃ線に沿った断面である。照度分布調整板６０は、照度の面内方向（ＸＹ平面内方向）の分布を調整する機能を有している。図６においては、照度分布調整板６０の背面側に配置される光源２２及びスペーサ部材５０の開口５２の位置が破線で示されている。この照度分布調整板６０は、光源２２から出射した光を透過させるための複数の光透過孔６２が形成された基材６１を備えている。そして、この照度分布調整板６０は、照度の面内分布を均一化させるように機能する。なお、図６では、光透過孔６２の図示は省略されている。
【００４１】
照度分布調整板６０の基材６１は、各光源２２に対応した１以上の区画領域Ａａを有している。すなわち、基材６１には、一つの光源２２に対して一つの区画領域Ａａが設けられている。したがって、基材６１は、Ｘ方向に沿って配列されるとともに、Ｙ方向に沿って配列された、複数の区画領域Ａａを有している。図６では、基材６１における一点鎖線で区画された領域がそれぞれの区画領域Ａａを示している。図示された例では、各区画領域Ａａは平面視で矩形形状に形成されているが、区画領域Ａａの形状はこれに限られない。なお、各区画領域Ａａは、規則的に配列された複数の要素領域Ａｂにさらに区分けされる。要素領域Ａｂの具体的な形状及び配列パターンについては後述する。
【００４２】
図６に示された例では、基材６１の隣り合う区画領域Ａａを区画する区画線Ｌａは、スペーサ部材５０の壁部５１に沿って定義される。言い換えると、区画線Ｌａは、照度分布調整板６０の法線方向（つまり、Ｚ方向）に沿ってスペーサ部材５０の壁部５１と対向する領域内に位置するように定義される。結果として、区画線Ｌａは、全体として、Ｘ方向に配列されＹ方向に延びる複数の区画線Ｌａと、Ｙ方向に配列されＸ方向に延びる複数の区画線Ｌａと、が格子状をなすように定義される。図示された例では、各区画領域Ａａは、Ｘ方向に沿った幅Ｗ１と、Ｙ方向に沿った幅Ｗ２とを有する。この幅Ｗ１及び幅Ｗ２は、例えば５ｍｍ以上５０ｍｍ以下とすることができる。
【００４３】
図７は、本実施形態の面光源装置２０の光源２２の周辺の拡大縦断面図である。より詳しくは、図７は、図４の領域Ｄを示すものであり、図６のＥ−Ｅ線に沿った断面を示すものである。つまり、図７は、照度分布調整板６０の基材６１における一つの区画領域Ａａに対応する面光源装置２０の断面を示している。
【００４４】
ベース部材３５は、高さ調整部材３６を介して、光源基板積層体４０を支持及び保持する基材として機能する部材である。ベース部材３５の材料としては、光源基板積層体４０を適切に保持することができるものであれば特に限られないが、例えば金属や樹脂等を用いることができる。とりわけアルミニウム等の熱伝導性の良い金属材料で形成されたベース部材３５を用いると、光源２２で生じた熱をこのベース部材３５を介して面光源装置２０の背面側へ向けて放熱することができるので、より好ましい。このベース部材３５の厚さは、例えば０．５ｍｍ以上１０ｍｍ以下とすることができる。なお、ベース部材３５は、面光源装置２０の筐体の一部をなしていてもよい。
【００４５】
図７に示すように、光源基板積層体４０は、リジッド基板として構成された基板４１と、配線層４２と、レジスト層４３と、光反射層４４と、がこの順に積層された積層体である。複数の光源基板積層体４０をＸ方向及びＹ方向に配列して用いることも考えられる。
【００４６】
基板４１は、配線層４２を保持する基材として機能する部材であり、配線層４２とともにプリント配線板を形成する。この基板４１の厚さは、例えば０．１ｍｍ以上３ｍｍ以下とすることができる。基板４１の材料としては、絶縁性、耐熱性、耐久性、加熱時の寸法安定性、機械的強度等を考慮して適宜選択され得るが、例えば、紙フェノール基板、紙エポキシ基板、ガラスコンポジット基板、ガラスエポキシ基板、セラミックス基板、アルミベース基板などを用いることができる。
【００４７】
また、本開示の実施形態の光源基板積層体４０の基板４１は、リジッド基板ではなく、可撓性を有する樹脂フィルムで形成されたフィルム基板であってもよい。この場合、フィルム基板は、配線層４２とともにフレキシブルプリント配線板を形成する。このフィルム基板の厚さは、例えば１０μｍ以上５００μｍ以下とすることができる。フィルム基板の材料としては、絶縁性、耐熱性、耐久性、加熱時の寸法安定性、機械的強度等を考慮して適宜選択され得るが、例えば、ポリイミド（ＰＩ）や、ポリエチレンナフタレート（ＰＥＮ）、ポリエチレンテレフタレート（ＰＥＴ）を用いることができる。従来のリジッド基板よりも薄いフィルム基板を用いることにより、面光源装置２０を薄型化することができる。
【００４８】
配線層４２は、基板４１上に設けられ、光源２２に対して電源を供給する機能を有する。そのため、配線層４２は、導電性の高い金属材料で形成されることが好ましい。配線層４２を形成する金属材料としては、例えば、銅、アルミニウム、金、銀等又はこれらの合金等の金属材料を挙げることができる。一例として、配線層４２は、サブトラクト法を用いて形成することができる。すなわち、基板４１上に配置された銅箔等の金属層を、フォトリソグラフィー技術を用いたエッチングによりパターニングすることにより、所望のパターンを有する配線層４２を形成することができる。なお、これに限られず、配線層４２は、アディティブ法やセミアディティブ法等の他の方法を用いて形成されてもよい。なお、配線層４２における、光源２２や他の配線又はコネクタとの接続部には、電極部（図示せず）が設けられる。
【００４９】
配線層４２、及び、配線層４２から露出した基板４１上には、レジスト層４３が設けられる。とりわけレジスト層４３は、配線層４２の電極部となる箇所を除いて、配線層４２、及び、配線層４２から露出した基板４１を覆うようにして設けられる。このレジスト層４３は、配線層４２を保護するとともに、配線層４２と他の部材との間の短絡を防止する機能を有する。レジスト層４３の材料としては、例えば、ポリエステル系樹脂、エポキシ系樹脂、エポキシ系及びフェノール系樹脂、エポキシアクリレート樹脂、シリコーン系樹脂等の樹脂材料を用いることができる。レジスト層４３は、一例として、配線層４２及び基板４１全体を覆うように樹脂層を設け、フォトリソグラフィー技術を用いたエッチングにより配線層４２の電極部となる箇所に、当該電極部を露出させる開口を設けることにより形成することができる。また、レジスト層４３は、一例として、スクリーン印刷などの印刷方式により形成することができる。
【００５０】
光反射層４４は、光源２２から出射した光の利用効率を向上させるために設けられる層であり、光源２２から出射して照度分布調整板６０で反射されてその光路を光反射層４４側に向けて曲げられた光を、再び照度分布調整板６０へ向けて反射させる機能を有する。そのため、光反射層４４は、可視光波長域の光に対する高い反射性を有する層であることが好ましい。また、光反射層４４は、照度分布調整板６０の光源２２と同じ側に照度分布調整板６０と平行をなして配置される。図７に示された例では、光反射層４４は、光源２２が配置されるべき箇所を除いて、レジスト層４３上に積層されている。図示された例では、光反射層４４は、平面視において光源２２を囲むようにして配置されている。また、図示された例では、光反射層４４は、レジスト層４３の光源２２を囲む内周縁部を露出させるようにして設けられている。なお、これに限られず、光反射層４４は、例えばレジスト層４３の光源２２を囲む内周縁部が露出しないように、レジスト層４３の内周縁部と光反射層４４の内周縁部が一致するようにして設けられていてもよい。光反射層４４としては、例えば白色の樹脂材料で形成された層を用いることができる。この他に金属膜や誘電体の多層膜を成膜してもよい。また、レジスト層４３に直接、塗布もしくは成膜してもよく、また別に用意したフィルムを積層してもよい。
【００５１】
光源２２は、導電接続層４５を介して配線層４２の電極部に接続されている。導電接続層４５としては、例えば、はんだ、導電性接着剤、異方導電フィルム、異方導電接着剤等からなる層を用いることができる。
【００５２】
高さ調整部材３６は、光源基板積層体４０とベース部材３５との間に配置され、光源基板積層体４０を平坦にする部材である。高さ調整部材３６は、光源基板積層体４０と接する領域の縦方向（つまり、光源基板積層体４０及び照度分布調整板６０が対向する方向）における位置のばらつきを、ベース部材３５の光源基板積層体４０側の面の縦方向における位置のばらつきよりも、緩和させるように構成されている。この高さ調整部材３６により、ベース部材３５が湾曲していたとしても、ベース部材３５の湾曲に光源基板積層体４０を追随させないようにすることができる。この高さ調整部材３６の具体的構成については後述する。
【００５３】
図８は、本実施形態の第１光学部材を構成する照度分布調整板６０の一つの区画領域Ａａを示す平面図であって、要素領域Ａｂ及び光透過孔６２の配置パターンの一例を示す図である。
【００５４】
照度分布調整板６０は、光源２２から出射した光を透過させる複数の光透過孔６２が形成された基材６１を備えている。複数の光透過孔６２は、各区画領域Ａａ内において、光源２２の直上に対面する区画領域Ａａの中心Ｏ１から離れるほどその開口面積が大きくなるパターンにて配置されている。
【００５５】
図８に示された区画領域Ａａは、規則的に配列された複数の要素領域Ａｂにさらに区分けされる。図８に示された例では、区画領域Ａａ内に、平面視において正六角形形状を有する各要素領域Ａｂが同一のピッチで並べられている。つまり、複数の要素領域Ａｂは、いわゆるハニカム状に配列されている。図示された例では、各要素領域Ａｂは平面視で正六角形形状とされているが、要素領域Ａｂの形状はこれに限られない。例えば、各要素領域Ａｂは、平面視において矩形形状等の他の形状をなしていてもよい。各要素領域Ａｂの幅は、一例として、０．２ｍｍ以上１０ｍｍ以下とすることができる。
【００５６】
基材６１の法線方向に投影したときに、図示された例ではＺ方向に投影したときに光源２２と重なる要素領域Ａｂ以外の要素領域Ａｂには、それぞれ一つの光透過孔６２が形成されている。各光透過孔６２は、平面視において円形の輪郭を有している。ただし、これに限られず、各光透過孔６２は、平面視において楕円形、三角形、矩形、六角形等の他の平面形状を有するように形成してもよい。
【００５７】
光透過孔６２の寸法は、光源２２と重なる要素領域Ａｂから区画領域Ａａの周縁に向かうにつれて大きくなるように変化している。ここで、光透過孔６２の寸法が、光源２２と重なる要素領域Ａｂから区画領域Ａａの周縁に向かうにつれて大きくなるように変化するとは、光透過孔６２の寸法が、光源２２と重なる要素領域Ａｂから区画領域Ａａの周縁に向かうにつれて常に大きくなるように変化する場合のみならず、一部の領域において光透過孔６２の寸法が変化しない場合をも含む。換言すると、光透過孔６２の寸法が、光源２２と重なる要素領域Ａｂから区画領域Ａａの周縁に向かうにつれて大きくなるように変化するとは、光透過孔６２の寸法が、光源２２と重なる要素領域Ａｂから区画領域Ａａの周縁に向かうにつれて小さくなるように変化する領域を有しないことを意味する。
【００５８】
照度分布調整板６０は、光源２２から出射した光の反射を利用して照度の面内分布の均一性を向上させる機能も有しており、当該照度分布調整板６０に入射した光を反射させてその光路を光反射層４４側に向けて折り返すことができるように構成されている。このため、照度分布調整板６０の基材６１は、可視光波長域の光に対する高い反射性を有する層であることが好ましい。基材６１は、例えば白色の樹脂材料で形成される。一例として、基材６１は、発泡ポリエチレンテレフタレート（発泡ＰＥＴ）等の発泡樹脂で形成されてもよい。照度分布調整板６０の厚さは、一例として、０．０５ｍｍ以上１ｍｍ以下である。
【００５９】
図示された例では、照度分布調整板６０は、低い光透過性を有する材料で形成された基材６１を有し、光透過孔６２は、基材６１に形成された物理的な孔、すなわち対向する基材６１の二つの主面のうちの一方の主面から他方の主面へ延びる貫通孔として形成されているが、光透過孔６２の具体的構成は、これに限られない。光透過孔６２は、照度分布調整板６０の板面への法線方向（Ｚ方向）の一方側から他方側へ光が透過可能な部分として形成されていればよく、例えば、照度分布調整板６０が、光透過性を有する板状の透明基材と、この透明基材上とりわけ透明基材の光源２２側の主面上に設けられた光反射層と、を有し、光透過孔６２が、この光反射層内に設けられた開口部として構成されてもよい。この場合、透明基材には物理的な孔を設けなくてもよい。
【００６０】
図７に示されているように、光源２２から照度分布調整板６０へ向けて出射した光は、照度分布調整板６０で反射されて光反射層４４側へ向けて進む。光反射層４４に入射した光は、当該光反射層４４で反射されて照度分布調整板６０へ向けて進む。これを繰り返した光が照度分布調整板６０の光透過孔６２のいずれかに入射すると、当該光は光透過孔６２を透過（言い換えると、通過）して照度分布調整板６０から表示パネル１５側（図７に示された例では拡散板７１側）へ向けて出射する。このとき、光源２２から出射して照度分布調整板６０と光反射層４４との間で反射を繰り返しながら照度分布調整板６０の板面と略平行な方向（一例として図７のＸ方向）に進む光の量は、光源２２から離れるにしたがって低下していく。しかし、本実施形態の照度分布調整板６０では、上述のように、複数の光透過孔６２が、光源２２の直上に対面する区画領域Ａａの中心Ｏ１から離れるほどその開口面積が大きくなるパターンにて配置されているので、各光透過孔６２を透過する光量の均一化が図れ、結果として照度の面内分布の均一化が図られる。
【００６１】
なお、スペーサ部材５０は、部材の材料及び部材表面の微細な凹凸構造により、反射率及び透過率が調整されており、照度分布調整板６０の板面と略平行な方向に進み、スペーサ部材５０の壁部５１に入射した光は、当該スペーサ部材５０で反射され光源２２側へ向けてその光路を曲げられる。また、スペーサ部材５０の表面で反射されずに透過した光は、隣の開口５２又はスペーサ部材５０上の光透過孔６２へ出射する。このように、本実施形態のスペーサ部材５０は、照度分布を調整する機能を有している。反射と透過の大小関係は、求める照度分布に応じて適宜選択できる。
【００６２】
図示された例における拡散板７１は、当該拡散板７１に入射した光を拡散する機能を有した板状部材とすることができる。とりわけ図示された例において、拡散板７１は、入射光を拡散して透過させる。これにより、照度の面内分布を均一化させ、照度分布調整板６０の光透過孔６２の像を目立たなくさせることができる。拡散板７１としては、光拡散機能を有する部材であれば特に限定されることなく使用可能であるが、例えば、表面に微細な凹凸を有する樹脂板やガラス板、内部に拡散粒子を有する樹脂板やガラス板を用いることができる。
【００６３】
図示された例における第１光学シート７２は、光源２２側から入射した光の進行方向を変化させて表示パネル１５側から出射させ、第１光学シート７２の法線方向（Ｚ方向）における輝度を集中的に向上させるための集光シートとすることができる。集光シートは、一例として、そのシート面上のある方向に沿って配列された複数の単位プリズムを有したシート状の部材とすることができる。この集光シートとしては、例えば米国３Ｍ社から入手可能な「ＢＥＦ」（登録商標）を用いることができる。
【００６４】
また、図示された例における第２光学シート７３は、その透過軸と平行な方向の偏光成分を透過させ、その透過軸に直交する反射軸と平行な方向の偏光成分を反射する反射型偏光板とすることができる。この反射型偏光板によれば、面光源装置２０から出射し表示パネル１５で有効に利用され得ない偏光成分の光が、当該表示パネル１５へ入射して偏光板で吸収されてしまうことを防止することができる。したがって、光源光の利用効率を向上させて、照度特性を改善することができる。この反射型偏光板としては、例えば米国３Ｍ社から入手可能な「ＤＢＥＦ」（登録商標）を用いることができる。
【００６５】
このような拡散板７１、第１光学シート７２及び第２光学シート７３としては、いずれも、面光源装置２０の十分な照度を確保する観点から、可視光透過率の高いものを用いることが好ましい。
【００６６】
以下、本実施形態の面光源装置２０における、スペーサ部材５０、及び、高さ調整部材３６を有するベース部３０の具体的構成について詳述する。
【００６７】
図９は、本実施形態のスペーサ部材５０を概略的に示す斜視図である。
【００６８】
スペーサ部材５０は、Ｘ方向及びＹ方向に格子状をなすように配置された壁部５１を有し、Ｘ方向及びＹ方向に配列された複数の開口５２を画成している。壁部５１は、Ｘ方向及びＹ方向の２方向に延びる壁部５１が交差する交差部５１ａと、各交差部５１ａの間に位置する非交差部５１ｂと、を有している。また、壁部５１は、スペーサ部材５０の外周壁を構成する外周壁部５１Ａと、外周壁部５１Ａの内側に設けられた区画壁部５１Ｂと、を有している。区画壁部５１Ｂは、ベース部３０と照度分布調整板６０との間において、隣り合う２つの光源２２の間に位置するようになる。一方、外周壁部５１Ａは、スペーサ部材５０の最外部に位置し、正面視において（つまり、Ｚ方向から見て）、スペーサ部材５０の外輪郭を形成している。
【００６９】
図９に示されている例では、外周壁部５１Ａは、正面視において、四角形形状の四辺、とりわけ矩形形状の四辺に沿って延びている。区画壁部５１Ｂは、正面視において、格子状、とりわけ正方格子状である。また、スペーサ部材５０の頂面（つまり、照度分布調整板６０側の面）と底面（つまり、ベース部３０側の面）とは、ともに、面光源装置２０の出光面２０ａと平行（つまり、ＸＹ平面に平行、Ｚ方向に垂直）になるように形成されている。すなわち、図示された例において、壁部５１の頂面を含む平面と壁部５１の底面を含む平面とは、ともに、ＸＹ平面に平行であり、Ｚ方向に垂直となっている。  
【００７０】
また、本開示の発明者らは、前述のとおり、より大型の面光源装置２０において、新たな輝度の面内均一性の悪化の問題が生じることと、その輝度の面内均一性の悪化の原因が光源基板積層体４０のわずかな湾曲にあることと、その輝度の面内均一性の悪化を抑制するためには、光源基板積層体４０と照度分布調整板６０との間の距離の面内均一性を向上させる必要があることと、を見出した。
【００７１】
そのため、本実施形態のスペーサ部材５０は、ベース部３０及び照度分布調整板６０が対向する方向に非平行な直線を軸として屈曲又は湾曲する曲部５５を有している。すなわち、曲部５５は、ベース部３０及び照度分布調整板６０が対向する方向に非平行な直線を軸として屈曲又は湾曲可能に構成された屈曲箇所である。曲部５５は、ベース部３０及び照度分布調整板６０が対向する方向に対して、好ましくは４５°以上、１３５°以下の角度をなす直線を軸として屈曲又は湾曲可能であり、より好ましくは８０°以上、１００°以下の角度をなす直線を軸として屈曲又は湾曲可能である。典型的には、曲部５５は、ベース部３０及び照度分布調整板６０が対向する方向に対して垂直な直線を軸として屈曲又は湾曲可能である。
【００７２】
図示された例におけるスペーサ部材５０は、ベース部３０及び照度分布調整板６０が対向する方向に対して垂直な直線、つまり、スペーサ部材５０の頂面を含む平面（つまり、ＸＹ平面）に平行な直線Ｌｘ、Ｌｙを軸として屈曲又は湾曲する曲部５５を有している。この曲部５５により、光源基板積層体４０の湾曲にスペーサ部材５０が追随して、光源基板積層体４０と照度分布調整板６０との間の距離の面内均一性を向上させることができるようなっている。本実施形態では、スペーサ部材５０の壁部５１の非交差部５１ｂに、Ｘ方向に配列されＹ方向に延びる複数の直線Ｌｙを軸として屈曲又は湾曲する複数の曲部５５と、Ｙ方向に配列されＸ方向に延びる複数の直線Ｌｘを軸として屈曲又は湾曲する複数の曲部５５と、が設けられている。
【００７３】
図１０Ａは、本実施形態のスペーサ部材５０が光源基板積層体４０の湾曲（つまり、ベース部３０の湾曲）に追随する態様を示す縦断面図であり、図９のＦ−Ｆ線に沿った断面を示すものである。図１０Ｂは、比較例のスペーサ部材が光源基板積層体の湾曲に追随する態様を示す縦断面図であり、図９のＦ−Ｆ断面を示すものである。なお、図１０Ａ及び図１０Ｂにおいては、理解を容易にするために、光源基板積層体４０の湾曲の程度を実際よりもかなり誇張して示している。
【００７４】
曲部５５を有さない従来のスペーサ部材５０は、図１０Ｂに示すように、光源基板積層体４０の湾曲に追随することができない。一方、本実施形態のスペーサ部材５０は、図１０Ａに示すように、Ｘ方向に配列されＹ方向に延びる複数の直線Ｌｙを軸として屈曲又は湾曲する複数の曲部５５によって、光源基板積層体４０のＹ方向に平行な直線を軸とする湾曲に追随することができるようになっている。同様に、スペーサ部材５０は、Ｙ方向に配列されＸ方向に延びる複数の直線Ｌｘを軸として屈曲又は湾曲する複数の曲部５５によって、光源基板積層体４０のＸ方向に平行な直線を軸とする湾曲に追随することができるようになっている。
【００７５】
光源基板積層体４０の湾曲の大きさは、本開示の発明者らの研究の結果、横方向（つまり、ＸＹ平面内の方向）に２００〜１０００ｍｍ程度の周期で、縦方向（つまり、Ｚ方向）に緩やかに（つまり、大きな曲率半径で）０．５ｍｍ〜２ｍｍ変位する程度であることを見出された。そのため、Ｘ方向又はＹ方向に延びる壁部５１に沿って設けられる曲部５５のピッチｐｘ、ｐｙ（つまり、それぞれの曲部５５の中心間の距離）及びそれぞれの曲部５５に要求される屈曲又は湾曲の程度は、このような大きさの湾曲に追随できるように設定される。
【００７６】
図９に示されている例では、曲部５５は、壁部５１の非交差部５１ｂの中央付近に設けられているが、本開示のスペーサ部材５０の曲部５５は、これに限定されず、壁部５１の非交差部５１ｂの中央付近から外れた領域に設けられたものであってもよい。
【００７７】
また、図９に示されている例では、Ｘ方向又はＹ方向に延びる壁部５１に沿って、全ての非交差部５１ｂに曲部５５が設けられているが、本開示のスペーサ部材５０は、そのようなものである必要はない。ただし、Ｘ方向又はＹ方向に延びる壁部５１に沿って設けられる曲部５５のピッチｐｘ、ｐｙが大きくなりすぎると、光源基板積層体４０の湾曲によって生じる光源基板積層体４０の上面（つまり、正面側の面）とスペーサ部材５０の底面（つまり、背面側の面）との隙間の大きさが許容範囲を超えて大きくなり、好ましくない。
【００７８】
本開示の発明者らは、研究の結果、Ｘ方向又はＹ方向に延びる壁部５１に沿って設けられる曲部５５のピッチｐｘ、ｐｙが１００ｍｍ以下であれば、光源基板積層体４０の湾曲によって生じる光源基板積層体４０の上面とスペーサ部材５０の底面との隙間の大きさが許容範囲内に抑えられ、面光源装置２０の輝度の面内均一性の悪化を抑えることができることを見出した。そのため、Ｘ方向又はＹ方向に延びる壁部５１に沿って設けられる曲部５５のピッチｐｘ、ｐｙは、１００ｍｍ以下であることが好ましい。
【００７９】
それぞれの曲部５５に要求される屈曲又は湾曲の程度は、曲部５５のピッチｐｘ、ｐｙに応じて、光源基板積層体４０の湾曲に追随できるものであればよい。曲部５５に要求される屈曲又は湾曲の程度は、曲部５５のピッチｐｘ、ｐｙが大きくなるにつれて、大きなものとなる。
【００８０】
また、本開示の面光源装置２０の出光面２０ａのサイズは、特に限定されない。しかし、本開示の発明者らの研究により、この光源基板積層体４０の湾曲による面光源装置２０の輝度の面内均一性の悪化は、前述の光源基板積層体４０の湾曲の大きさの程度から、特に、面光源装置２０の出光面２０ａの長辺の長さが２００ｍｍ以上となる場合に問題となることが見出された。そのため、面光源装置２０は、出光面２０ａの長辺の長さが２００ｍｍ以上であるときに特に本開示の効果が出ることになり、出光面２０ａの長辺の長さが２００ｍｍ以上であることが好ましい。
【００８１】
図１１は、本実施形態のスペーサ部材５０の曲部５５の構成を示す斜視図である。本実施形態の曲部５５は、壁部５１の非交差部５１ｂの頂面（つまり、照度分布調整板６０側の面）に形成された切欠溝５５１を有している。切欠溝５５１は、壁部５１を横切るように形成されている。
【００８２】
切欠溝５５１によってスペーサ部材５０の壁部５１が部分的に肉薄となる。そのため、スペーサ部材５０は、切欠溝５５１が形成された部分において、屈曲するようになっている。図１１に示されている例では、切欠溝５５１は、Ｖ字型の断面形状を有しているが、本開示の切欠溝５５１の断面形状はこれに限定されず、Ｕ字型、角型など他の形状であってもよい。
【００８３】
切欠溝５５１の幅及び深さは、スペーサ部材５０が曲部５５において必要な角度で屈曲することができるように設定される。しかし、面光源装置２０の光学特性に与える影響などの観点から、切欠溝５５１の幅は、０．１ｍｍ以上、５ｍｍ以下とするのが好ましい。一例として、スペーサ部材５０の壁部５１の幅及び高さがそれぞれ２ｍｍ及び２ｍｍの場合に、切欠溝５５１の幅及び深さをそれぞれ１ｍｍ及び１．５ｍｍとすることが考えられる。
【００８４】
切欠溝５５１の形成方法は特に限定されない。切欠溝５５１は、切欠溝５５１を反映した金型を用いて、射出成形によるスペーサ部材５０の成形と同時に形成されたものであってもよいし、切欠溝５５１のないスペーサ部材５０を成形した後に、切削加工又はレーザ加工などにより形成されたものであってもよい。
【００８５】
図１２は、第１変形例のスペーサ部材５０の曲部５５の構成を示す斜視図である。第１変形例の曲部５５は、壁部５１の非交差部５１ｂの底面（つまり、ベース部３０側の面）に形成された切欠溝５５１を有している。このように、本開示のスペーサ部材５０の曲部５５は、壁部５１の非交差部５１ｂの底面に形成された切欠溝５５１を有するものであってもよい。
【００８６】
図１３は、第２変形例のスペーサ部材５０の曲部５５の構成を示す斜視図である。第２変形例のスペーサ部材５０には、壁部５１の非交差部５１ｂの頂面（つまり、照度分布調整板６０側の面）に形成された切欠溝５５１を有する曲部５５と、壁部５１の非交差部５１ｂの底面（つまり、ベース部３０側の面）に形成された切欠溝５５１を有する曲部５５と、が設けられている。このように、本開示のスペーサ部材５０は、壁部５１の非交差部５１ｂの頂面に形成された切欠溝５５１を有する曲部５５と、壁部５１の非交差部５１ｂの底面に形成された切欠溝５５１を有する曲部５５と、を組み合わせたものであってもよい。
【００８７】
図１４は、第３変形例のスペーサ部材５０の曲部５５の構成を示す正面図である。第３変形例のスペーサ部材５０は、本実施形態、第１変形例及び第２変形例のスペーサ部材５０のそれぞれにおいて、切欠溝５５１の壁部５１を横切る方向を限定したものである。すなわち、第３変形例は、切欠溝５５１の延びる方向又は長手方向に特徴を有している。本実施形態、第１変形例及び第２変形例において、切欠溝５５１はＸ方向又はＹ方向と平行になっていた。しかし、第３変形例において、切欠溝５５１は、Ｘ方向及びＹ方向と非平行となっていて、Ｘ方向及びＹ方向に傾斜している。より具体的には、第３変形例の切欠溝５５１は、正面視において（つまり、ベース部３０及び照度分布調整板６０が対向する方向からの観察において）、光源２２から直接に切欠溝５５１に到達する光の進行方向ｄ１から傾いた方向ｄ２に向かって壁部５１を横切るように形成されている。
【００８８】
第３変形例のスペーサ部材５０では、切欠溝５５１が、壁部５１を光源２２からの光の進行方向ｄ１から傾いた方向ｄ２で横切るように形成されていることから、光源２２からの光が切欠溝５５１を通って隣接する開口部５２に漏れることを抑制するものとなっている。光源２２からの光の進行方向ｄ１と切欠溝５５１の壁部５１を横切る方向ｄ２との間の好ましい角度は、切欠溝５５１の形成位置、壁部５１の幅及び切欠溝５５１の幅に応じて異なるものとなるが、正面視において、光源２２からの光の進行方向ｄ１に伸びる直線が切欠溝５５１の内側のみを通って壁部５１を横切ることがないように設定されることが好ましい。
【００８９】
図１５は、第４変形例のスペーサ部材５０の曲部５５の構成を示す斜視図である。第４変形例は、第２変形例の曲部５５の切欠溝５５１を切込み５５２に変更したものである。つまり、第４変形例のスペーサ部材５０には、壁部５１の非交差部５１ｂの頂面（つまり、照度分布調整板６０側の面）に形成された切込み５５２を有する曲部５５と、壁部５１の非交差部５１ｂの底面（つまり、ベース部３０側の面）に形成された切込み５５２を有する曲部５５と、が設けられている。このように、本開示のスペーサ部材５０は、壁部５１の非交差部５１ｂの頂面に形成された切込み５５２を有する曲部５５と、壁部５１の非交差部５１ｂの底面に形成された切込み５５２を有する曲部５５と、を組み合わせたものであってもよい。
【００９０】
第４変形例の切込み５５２は、切欠溝５５１と比較して、光源２２からの光の隣接する開口部５２への漏れが抑制されるという利点を有している。しかし、第４変形例の切込み５５２は、切込み５５２の隙間を狭める変形ができず、切込み５５２の隙間を広げる変形のみが可能である点で、切欠溝５５１とは異なっている。そのため、第４変形例のスペーサ部材５０は、原則として、壁部５１の非交差部５１ｂの頂面に形成された切込み５５２を有する曲部５５と、壁部５１の非交差部５１ｂの底面に形成された切込み５５２を有する曲部５５と、を組み合わせることが好ましい。
【００９１】
しかし、光源基板積層体４０が正面側が凸となる湾曲のみを有する場合は、スペーサ部材５０を壁部５１の非交差部５１ｂの頂面に形成された切込み５５２を有する曲部５５のみが設けられたものとすることができ、光源基板積層体４０が正面側が凹となる湾曲のみを有する場合は、スペーサ部材５０を壁部５１の非交差部５１ｂの底面に形成された切込み５５２を有する曲部５５のみが設けられたものとすることができる。
【００９２】
切込み５５２の深さは、スペーサ部材５０が曲部５５において必要な角度で屈曲することができるように設定される。一例として、スペーサ部材５０の壁部５１の幅及び高さがそれぞれ２ｍｍ及び２ｍｍの場合に、切込み５５２の深さを１．５ｍｍとすることが考えられる。切込み５５２の形成方法は特に限定されない。一例として、切込み５５２は、切削加工又はレーザ加工により形成することが考えられる。
【００９３】
図１６は、第５変形例のスペーサ部材５０の曲部５５の構成を示す斜視図である。第５変形例の曲部５５は、壁部５１の縦方向の厚さ（つまり、ベース部３０及び照度分布調整板６０が対向する方向に沿った厚さ）が曲部５５以外の部分よりも薄い肉薄部５５３となっている。このように、本開示のスペーサ部材５０の曲部５５は、壁部５１の非交差部５１ｂに設けられた肉薄部５５３として構成されたものであってもよい。
【００９４】
第５変形例の肉薄部５５３を有する曲部５５は、切欠溝５５１及び切込み５５２と比較して、光学特性に与える影響が大きいという難点を有しているが、切欠溝５５１及び切込み５５２と比較して、緩やかに曲がることができ、光源基板積層体４０の湾曲への追随性に優れているという利点を有している。
【００９５】
図１６に示されている例では、非交差部５１ｂの肉薄部５５３は、壁部５１の非交差部５１ｂの底面（つまり、ベース部３０側の面）の切欠きによって形成されている。しかし、本開示の非交差部５１ｂの肉薄部５５３の形態はこれに限定されず、壁部５１の非交差部５１ｂの頂面（つまり、照度分布調整板６０側の面）の切欠きによって形成されたものでもよく、また、壁部５１の非交差部５１ｂの頂面及び底面の切欠きによって形成されたものでもよい。しかし、光学特性に与える影響の観点から、肉薄部５５３は、壁部５１の非交差部５１ｂの底面の切欠きによって形成されたものであることが好ましい。
【００９６】
非交差部５１ｂの肉薄部５５３の厚さ（つまり、縦方向の長さ）及び長さ（つまり、壁部５１が延びる方向の長さ）は、スペーサ部材５０が曲部５５において必要な角度で屈曲することができるように設定される。一例として、スペーサ部材５０の壁部５１の幅及び高さがそれぞれ２ｍｍ及び２ｍｍの場合に、非交差部５１ｂの肉薄部５５３の厚さ及び長さをそれぞれ０．５ｍｍ及び５ｍｍとすることが考えられる。
【００９７】
非交差部５１ｂの肉薄部５５３の形成方法は特に限定されない。非交差部５１ｂの肉薄部５５３は、肉薄部５５３を反映した金型を用いて、射出成形によるスペーサ部材５０の成形と同時に形成されたものであってもよいし、肉薄部５５３のないスペーサ部材５０を成形した後に、切削加工又はレーザ加工などにより形成されたものであってもよい。
【００９８】
図１７は、第６変形例のスペーサ部材５０の曲部５５の構成を示す斜視図である。第６変形例の曲部５５は、スペーサ部材５０の壁部５１の曲部５５以外の部分を構成する材料よりも可撓性を有する材料からなる可撓性部材５５４により構成されている。このように、本開示のスペーサ部材５０の曲部５５は、壁部５１の非交差部５１ｂに設けられた可撓性部材５５４により構成されたものであってもよい。
【００９９】
本開示の可撓性部材５５４の材料は、スペーサ部材５０の壁部５１の曲部５５以外の部分を構成する材料よりも可撓性を有し、スペーサ部材５０を必要な角度で屈曲又は湾曲させることができるものであればよく、特に限定されない。一例として、可撓性部材５５４は、シリコーンゴム、ウレタンゴム又はクロロプレンゴムなどからなるものとすることが考えられる。
【０１００】
図１８は、第７変形例のスペーサ部材５０の曲部５５の構成を示す斜視図である。第７変形例では、スペーサ部材５０の壁部５１の非交差部５１ｂに、Ｘ方向に配列されＹ方向に延びる複数の直線Ｌｙを軸として屈曲又は湾曲する複数の曲部５５のみが設けられており、Ｙ方向に配列されＸ方向に延びる複数の直線Ｌｘを軸として屈曲又は湾曲する複数の曲部５５は設けられていない。
【０１０１】
第７変形例のスペーサ部材５０は、光源基板積層体４０が単一の直線を軸として曲がった曲面のみを有する場合、または、平行な複数の直線を軸として曲がった曲面のみを有する場合に、用いることができる。図１８に示されている例は、光源基板積層体４０がＹ方向に平行な直線を軸として曲がった曲面のみを有する場合に用いることができるスペーサ部材５０を示している。
【０１０２】
図１９は、第８変形例のスペーサ部材５０を概略的に示す斜視図である。
【０１０３】
第８変形例のスペーサ部材５０は、壁部５１の交差部５１ａに、ベース部３０及び照度分布調整板６０が対向する方向に対して垂直な直線、つまり、スペーサ部材５０の頂面を含む平面（ＸＹ平面）に平行な直線を軸として屈曲又は湾曲する曲部５５を有している。この曲部５５は、交差部５１ａに設けられた曲部５５における非交差部５１ｂとの接続部分近傍を通過する直線Ｌｘ、Ｌｙを軸として屈曲又は湾曲するようになっている。この曲部５５により、光源基板積層体４０の湾曲にスペーサ部材５０が追随して、光源基板積層体４０と照度分布調整板６０との間の距離の面内均一性を向上させることができるようなっている。
【０１０４】
図２０は、第８変形例のスペーサ部材５０が光源基板積層体４０の湾曲（つまり、ベース部３０の湾曲）に追随する態様を示す縦断面図であり、図１９のＧ−Ｇ線に沿った断面を示すものである。なお、図２０においては、理解を容易にするために、光源基板積層体４０の湾曲の程度を実際よりもかなり誇張して示している。
【０１０５】
図２０に示されているように、スペーサ部材５０は、Ｘ方向に配列されＹ方向に延びる複数の直線Ｌｙを軸として屈曲する複数の曲部５５によって、光源基板積層体４０のＹ方向に平行な直線を軸とする湾曲に追随することができるようになっている。同様に、スペーサ部材５０は、Ｙ方向に配列されＸ方向に延びる複数の直線Ｌｘを軸として屈曲する複数の曲部５５によって、光源基板積層体４０のＸ方向に平行な直線を軸とする湾曲に追随することができるようになっている。
【０１０６】
図１９に示されている例では、スペーサ部材５０の壁部５１の全ての交差部５１ａに曲部５５が設けられているが、本開示のスペーサ部材５０は、そのようなものである必要はない。ただし、前述の壁部５１の非交差部５１ｂに設けられる曲部５５と同様、交差部５１ａに設けられる曲部５５のピッチｐｘ、ｐｙが大きくなりすぎると、光源基板積層体４０の湾曲によって生じる光源基板積層体４０の上面とスペーサ部材５０の底面との隙間の大きさが許容範囲を超えて大きくなり、好ましくない。そのため、スペーサ部材５０の壁部５１の交差部５１ａに設けられる曲部５５のピッチｐｘ、ｐｙは、１００ｍｍ以下であることが好ましい。
【０１０７】
図２１は、第８変形例のスペーサ部材５０の曲部５５の構成を示す斜視図である。第８変形例の曲部５５は、壁部５１の縦方向の厚さ（つまり、ベース部３０及び照度分布調整板６０が対向する方向に沿った厚さ）が曲部５５以外の部分よりも薄い交差部５１ａに設けられた肉薄部５５５となっている。このように、本開示のスペーサ部材５０の曲部５５は、壁部５１の交差部５１ａに設けられた肉薄部５５５として構成されたものであってもよい。
【０１０８】
図２１に示されている例では、交差部５１ａの肉薄部５５５は、交差部５１ａの底面（つまり、ベース部３０側の面）に形成された切欠きによって形成されている。しかし、本開示の交差部５１ａの肉薄部５５５の形態はこれに限定されず、壁部５１の交差部５１ａの頂面（つまり、照度分布調整板６０側の面）の切欠きによって形成されたものでもよく、また、壁部５１の交差部５１ａの頂面及び底面の切欠きによって形成されたものでもよい。しかし、光学特性に与える影響の観点から、交差部５１ａの肉薄部５５５は、壁部５１の交差部５１ａの底面の切欠きによって形成されたものであることが好ましい。
【０１０９】
交差部５１ａの肉薄部５５５の厚さ（つまり、縦方向の長さ）は、スペーサ部材５０が曲部５５において必要な角度で屈曲又は湾曲することができるように設定される。一例として、スペーサ部材５０の壁部５１の幅及び高さがそれぞれ２ｍｍ及び２ｍｍの場合に、交差部５１ａの肉薄部５５３の厚さを０．５ｍｍとすることが考えられる。
【０１１０】
交差部５１ａの肉薄部５５５の形成方法は特に限定されない。交差部５１ａの肉薄部５５５は、肉薄部５５５を反映した金型を用いて、射出成形によるスペーサ部材５０の成形と同時に形成されたものであってもよいし、肉薄部５５５のないスペーサ部材５０を成形した後に、切削加工又はレーザ加工などにより形成されたものであってもよい。
【０１１１】
図２２は、第９変形例のスペーサ部材５０の曲部５５の構成を示す正面図である。第９変形例の曲部５５は、壁部５１の交差部５１ａの入隅部に形成された切欠部５５６、すなわち、１つの開口５２を画成する２つの非交差部５１ｂの当該開口５２を向く側面が接続する部分に形成された切欠部５５６を有している。図２２に示されている例では、４つの非交差部５１ｂが接続する交差部５１ａにおいては、４つの入隅部のそれぞれに切欠部５５６が設けられている。このように、本開示のスペーサ部材５０の曲部５５は、壁部５１の交差部５１ａの入隅部のそれぞれに形成された切欠部５５６を有するものであってもよい。
【０１１２】
第９変形例のスペーサ部材５０は、切欠部５５６が形成された交差部５１ａと非交差部５１ｂとの接続部分における壁部５１の幅が小さくなっており、スペーサ部材５０が当該接続部分において屈曲することができるようになっている。第９変形例のスペーサ部材５０は、可能な屈曲の程度は比較的小さいが、面光源装置２０の光学特性に与える影響が小さいという利点を有している。
【０１１３】
図２２に示されている例では、切欠部５５６は、正面視において円形形状に形成されているが、本開示の切欠部５５６は、これに限定されない。切欠部５５６の形状及び大きさは、スペーサ部材５０が曲部５５において必要な角度で屈曲することができるように設定される。一例として、スペーサ部材５０の壁部５１の幅及び高さがそれぞれ２ｍｍ及び２ｍｍの場合に、正面視において（つまり、Ｚ方向から見て）円形形状の切欠部５５６を、壁部５１の交差部５１ａと非交差部５１ｂとの接続部分における幅が０．５ｍｍになるように形成することが考えられる。
【０１１４】
切欠部５５６の形成方法は特に限定されない。切欠部５５６は、切欠部５５６を反映した金型を用いて、射出成形によるスペーサ部材５０の成形と同時に形成されたものであってもよいし、切欠部５５６のないスペーサ部材５０を成形した後に、切削加工又はレーザ加工などにより形成されたものであってもよい。
【０１１５】
図２３は、第１０変形例のスペーサ部材５０の曲部５５の構成を示す斜視図である。第１０変形例の曲部５５は、スペーサ部材５０の壁部５１の曲部５５以外の部分を構成する材料よりも可撓性を有する材料からなる可撓性部材５５４により構成されている。このように、本開示のスペーサ部材５０の曲部５５は、壁部５１の交差部５１ａに設けられた可撓性部材５５４により構成されたものであってもよい。
【０１１６】
本開示の可撓性部材５５４の材料は、スペーサ部材５０の壁部５１の曲部５５以外の部分を構成する材料よりも可撓性を有し、スペーサ部材５０を必要な角度で屈曲又は湾曲させることができるものであればよく、特に限定されない。一例として、可撓性部材５５４は、シリコーンゴム、ウレタンゴム又はクロロプレンゴムなどからなるものとすることが考えられる。
【０１１７】
図２４は、第１１変形例のスペーサ部材５０を概略的に示す斜視図である。第１１変形例のスペーサ部材５０は、壁部５１の交差部５１ａに設けられた曲部５５と、壁部５１の非交差部５１ｂに設けられた曲部５５と、を有している。このように、本開示のスペーサ部材５０は、壁部５１の交差部５１ａに設けられた曲部５５と、壁部５１の非交差部５１ｂに設けられた曲部５５と、を有するものであってもよい。
【０１１８】
図２５は、第１２変形例のスペーサ部材５０の曲部５５の構成を示す斜視図である。図２６は、第１２変形例のスペーサ部材５０の曲部５５の構成を示す分解斜視図である。
【０１１９】
第１２変形例のスペーサ部材５０は、Ｙ方向に配列されＸ方向に延びる複数の壁部５１を有する第１スペーサ構成部材５０ａと、第１スペーサ構成部材５０ａの上に積層され、Ｘ方向に配列されＹ方向に延びる複数の壁部５１を有する第２スペーサ構成部材５０ｂと、を有している。第１スペーサ構成部材５０ａの壁部５１の頂面（つまり、第２スペーサ構成部材５０ｂ側の面）における第２スペーサ構成部材５０ｂの壁部５１と交差する領域には、壁部５１を横切る切欠きにより形成された第１凹部５５７ａが設けられている。第２スペーサ構成部材５０ｂの壁部５１の底面（つまり、第１スペーサ構成部材５０ａ側の面）における第１スペーサ構成部材５０ａの壁部５１と交差する領域には、壁部５１を横切る切欠きにより形成された第２凹部５５７ｂが設けられている。
【０１２０】
第１スペーサ構成部材５０ａの第１凹部５５７ａと第２スペーサ構成部材５０ｂの第２凹部５５７ｂとは、互いに係合している。より具体的には、第１スペーサ構成部材５０ａの第１凹部５５７ａと第２スペーサ構成部材５０ｂの第２凹部５５７ｂとは、互いに噛み合っている。第１凹部５５７ａ及び第２凹部５５７ｂが噛み合うことで、第１スペーサ構成部材５０ａ及び第２スペーサ構成部材５０ｂのＸ方向及びＹ方向への自由な相対移動が規制される。これにより、第１スペーサ構成部材５０ａの頂面と第２スペーサ構成部材５０ｂの頂面とが同一の面内に含まれるようになっている。
【０１２１】
また、第１スペーサ構成部材５０ａの第１凹部５５７ａの深さと第２スペーサ構成部材５０ｂの第２凹部５５７ｂの深さとの和は、スペーサ部材５０の壁部５１の高さより大きくなっている。そのため、係合している第１スペーサ構成部材５０ａの第１凹部５５７ａと第２スペーサ構成部材５０ｂの第２凹部５５７ｂとの間に間隙が生じている。この間隙により、第１スペーサ構成部材５０ａ及び第２スペーサ構成部材５０ｂは、壁部５１の厚さが薄くなっている第１凹部５５７ａ及び第２凹部５５７ｂが設けられた領域において屈曲することができるようになっている。図示された例では、第１スペーサ構成部材５０ａの第１凹部５５７ａと第２スペーサ構成部材５０ｂの第２凹部５５７ｂとは、ともに、スペーサ５０の壁部５１の高さの２分の１よりも深く形成されており、スペーサ部材５０が曲部においてＸ方向及びＹ方向により曲がりやすくなっている。
【０１２２】
図２７は、第１３変形例のスペーサ部材５０の構成を示す斜視図である。第１３変形例のスペーサ部材５０は、１つの開口５２のみを有する複数の第３スペーサ構成部材５０ｃが、Ｘ方向及びＹ方向に配列されたものである。そして、互いに隣接する第３スペーサ構成部材５０ｃの間の領域がスペーサ部材５０の曲部５５となっている。
【０１２３】
図２７に示されている例では、第３スペーサ構成部材５０ｃは、１つの開口５２のみを有するものであるが、本開示の第３スペーサ構成部材５０ｃは、これに限定されず、２×２の４つの開口を有するもの、１×２の２つの開口を有するもの又は３×３の９つの開口を有するものなど、任意の個数の開口を有するものであってもよい。つまり、第３スペーサ構成部材５０ｃは、Ｘ方向に配列されＹ方向に延びる複数の壁部５１と、Ｙ方向に配列されＸ方向に延びる複数の壁部５１と、を有するものであればよい。ただし、前述の壁部５１の非交差部５１ｂ又は交差部５１ａに設けられる曲部５５のピッチｐｘ、ｐｙの問題と同様、第３スペーサ構成部材５０ｃの正面視における長辺の長さが大きくなりすぎると、光源基板積層体４０の湾曲によって生じる光源基板積層体４０の上面とスペーサ部材５０の底面との隙間の大きさが許容範囲を超えて大きくなり、好ましくない。そのため、第３スペーサ構成部材５０ｃの長辺の長さは、１００ｍｍ以下であることが好ましい。
【０１２４】
また、図２７に示されている例では、それぞれの第３スペーサ構成部材５０ｃは、互いに、可撓性を有する接着剤層５５８を介して接続されている。つまり、第１３変形例のスペーサ部材５０の曲部５５は、接着剤層５５８により構成されている。しかし、本開示のスペーサ部材５０は、接着剤層５５８を有するものでなくてもよい。また、接着剤層５５８を構成する材料は、特に限定されず、スペーサ部材５０を必要な程度に屈曲させることのできる可撓性を有するものであればよい。一例として、接着剤層５５８は、合成ゴム系接着剤又はシリコーン接着剤などからなるものとすることが考えられる。
【０１２５】
図２８は、第１４変形例のスペーサ部材５０の構成を示す斜視図である。図２９は、第１４変形例のスペーサ部材５０の構成を示す分解斜視図である。第１４変形例のスペーサ部材５０は、正面視おいて（つまり、ベース部３０及び照度分布調整板６０が対向する方向からの観察において）同一形状を有し、つまり、互いに重なる共通の形状を有し、且つ、縦方向（つまり、ベース部３０及び照度分布調整板６０が対向する方向）に積層された複数の第４スペーサ構成部材５０ｄを有するものである。
【０１２６】
第１４変形例のスペーサ部材５０を構成する第４スペーサ構成部材５０ｄは、スペーサ部材５０よりも低い高さを有していることから、つまり、全体的に薄いものとなっていることから、ＸＹ平面に平行な直線を軸として屈曲しやすくなっている。さらに、それぞれの第４スペーサ構成部材５０ｄは、接着層などを介さずに直接積層されており、それぞれが独立して水平方向に移動することが可能となっている。これにより、複数の第４スペーサ構成部材５０ｄが積層されて構成された第１４変形例のスペーサ部材５０は、全体として、光源基板積層体４０の湾曲への追随性が優れたものとなっている。
【０１２７】
図２８及び図２９に示されている例では、４つの第４スペーサ構成部材５０ｄが積層されているが、本開示のスペーサ部材５０は、これに限定されず、３枚以下又は５枚以上の第４スペーサ構成部材５０ｄを積層したものであってもよい。
【０１２８】
図３０は、本実施形態の高さ調整部材３６を有するベース部３０を示す縦断面図であり、図２のＨ−Ｈ線に沿った断面を示すものである。なお、図３０においては、理解を容易にするために、ベース部材３５の湾曲の程度を実際よりもかなり誇張して示している。
【０１２９】
高さ調整部材３６は、光源基板積層体４０とベース部材３５との間に配置され、光源基板積層体４０を平坦にする部材である。高さ調整部材３６は、光源基板積層体４０と接する領域の縦方向（つまり、光源基板積層体４０及び照度分布調整板６０が対向する方向）における位置のばらつきを、ベース部材３５の光源基板積層体４０側の面の縦方向における位置のばらつきよりも、緩和させるように構成されている。高さ調整部材３６は、より好ましくは、同一の平面内において光源基板積層体４０のベース部材３５側の面と接するように構成される。この高さ調整部材３６により、ベース部材３５が湾曲していたとしても、ベース部材３５の湾曲に光源基板積層体４０を追随させないようにすることができる。
【０１３０】
図３０に示されている例では、高さ調整部材３６は、ベース部材３５の上面（つまり、光源基板積層体４０側の面）に塗布又は配置された硬化性樹脂３６１によって構成されている。硬化性樹脂３６１によって高さ調整部材３６を構成する場合、ベース部材３５の湾曲を光源基板積層体４０に追随させないようにするために、硬化性樹脂３６１は、ベース部材３５の上面に一定値以上の厚みで塗布又は配置されている必要がある。本開示の発明者らは、研究の結果、硬化後の硬化性樹脂３６１の厚み（つまり、光源基板積層体４０及び照度分布調整板６０が対向する方向における厚み）の平均値が０．５ｍｍ以上となるように硬化性樹脂３６１を塗布又は配置すれば、光源基板積層体４０のベース部材３５の湾曲への追随を効果的に抑えられることを見出した。そのため、高さ調整部材３６を構成する硬化性樹脂３６１の厚みの平均値は、０．５ｍｍ以上であることが好ましい。
【０１３１】
なお、硬化性樹脂３６１の厚みの平均値は、硬化性樹脂３６１が塗布された面の全面にわたって、５０ｍｍ×５０ｍｍの領域毎に１つ以上の測定点において厚みの測定を行い、その測定値の平均値として算出するものとする。
【０１３２】
硬化性樹脂３６１からなる高さ調整部材３６の具体的な形成方法は、第１工程として、ベース部材３５の上面に硬化性樹脂３６１を塗布又は配置し、第２工程として、塗布又は配置された硬化性樹脂３６１の上面を、ガラス板を接触させることにより、水平にならし、第３工程として、硬化性樹脂３６１を硬化させ、第４工程として、硬化した硬化性樹脂３６１の上に光源基板積層体４０を配置する、というものである。硬化性樹脂３６１は、ベース部材３５の上面に塗布又は配置した後に硬化させることができるものであればよく、熱硬化性樹脂又は紫外線硬化性樹脂など任意の硬化性樹脂を用いることができる。一例として、ファインキュアーＭＵ−９９（三洋化成工業）などを硬化性樹脂３６１として用いることが考えられる。
【０１３３】
図３１は、第１５変形例の高さ調整部材３６を有するベース部３０を示す分解縦断面図であり、図２のＨ−Ｈ線に沿った断面を示すものである。なお、図３１においては、理解を容易にするために、ベース部材３５の湾曲の程度を実際よりもかなり誇張して示している。
【０１３４】
第１５変形例の高さ調整部材３６は、下面（つまり、ベース部材３５側）がベース部材３５の上面（つまり、光源基板積層体４０側の面）の湾曲に追随する形状を有し、上面（つまり、光源基板積層体４０側の面）のうちの少なくとも一部が同一の平面内において光源基板積層体４０の下面（つまり、ベース部材３５側の面）と接する形状を有する補正部材３６２によって構成されている。補正部材３６２として、リブ状、格子状又は板状など任意の形態の部材を用いることができる。
【０１３５】
図３２は、第１６変形例の高さ調整部材３６を有するベース部３０を示す縦断面図であり、図２のＨ−Ｈ線に沿った断面を示すものである。なお、図３２においては、理解を容易にするために、ベース部材３５の湾曲の程度を実際よりもかなり誇張して示している。
【０１３６】
第１６変形例の高さ調整部材３６は、ベース部材３５にして保持された複数の調整ねじ３６３を有している。それぞれの調整ねじ３６３は、ベース部材３５を下面から上面へ向かって貫通し、もしくは途中まで差し込まれ、且つ光源基板積層体４０側への突出長さを調整可能にベース部材３５に保持されている。それぞれの調整ねじ３６３は、独立して、ベース部材３５の上面から突出する部分の長さを調整できるようになっており、全ての調整ねじ３６３の頂面又は頂点が同一の平面内に位置するように調整されている。
【０１３７】
以上に説明してきた本実施形態の面光源装置によれは、光源基板積層体４０と照度分布調整板６０との間の距離の面内均一性が向上し、輝度の面内均一性に優れたものとなる。
【０１３８】
なお、上述した実施形態及び変形例に対して様々な変更を加えた他の変形例に対しても本発明を適用することが可能であり、そのような実施形態及び変形例の組み合わせに対しても本発明を適用することが可能である。例えば、スペーサ部材５０の曲部５５の構成のいずれかと、高さ調整部材３６の構成のいずれかと、を適宜組み合わせて用いることができる。
【０１３９】
本実施形態のベース部３０は、ベース部材３５及び光源基板積層体４０を有するものであるが、本開示の実施形態のベース部３０は、これに限定されず、複数の光源２２を支持するものであればよい。また、本実施形態の照度分布調整板６０は、少なくとも光源からの光の照度の面内分布を調整するものであればよい。
【符号の説明】
【０１４０】
１０  表示装置  
１５  表示パネル
１５ａ  表示面
２０  面光源装置
２０ａ  出光面
３０  ベース部
３５  ベース部材
３６  高さ調整部材
３６１  硬化性樹脂
３６２  補正部材
３６３  調整ねじ
４０  光源基板積層体
４１  基板
４２  配線層
４３  レジスト層
４４  光反射層
４５  導電接続層
５０  スペーサ部材
５１  壁部
５１ａ  交差部
５１ｂ  非交差部
５１Ａ  外周壁部
５１Ｂ  区画壁部
５２  開口
５５  曲部
５５１  切欠溝
５５２  切込み
５５３  肉薄部（非交差部）
５５４  可撓性部材
５５５  肉薄部（交差部）
５５６  切欠部（入隅部）
５５７ａ  第１凹部
５５７ｂ  第２凹部
５５８  接着剤層
６０  第１光学部材、照度分布調整板
６１  基材
６２  光透過孔
７０  第２光学部材
７１  拡散板
７２  第１光学シート
７３  第２光学シート
【図１】
2020119711.tif 000003
【図２】
2020119711.tif 000004
【図３】
2020119711.tif 000005
【図４】
2020119711.tif 000006
【図５】
2020119711.tif 000007
【図６】
2020119711.tif 000008
【図７】
2020119711.tif 000009
【図８】
2020119711.tif 000010
【図９】
2020119711.tif 000011
【図１０Ａ】
2020119711.tif 000012
【図１０Ｂ】
2020119711.tif 000013
【図１１】
2020119711.tif 000014
【図１２】
2020119711.tif 000015
【図１３】
2020119711.tif 000016
【図１４】
2020119711.tif 000017
【図１５】
2020119711.tif 000018
【図１６】
2020119711.tif 000019
【図１７】
2020119711.tif 000020
【図１８】
2020119711.tif 000021
【図１９】
2020119711.tif 000022
【図２０】
2020119711.tif 000023
【図２１】
2020119711.tif 000024
【図２２】
2020119711.tif 000025
【図２３】
2020119711.tif 000026
【図２４】
2020119711.tif 000027
【図２５】
2020119711.tif 000028
【図２６】
2020119711.tif 000029
【図２７】
2020119711.tif 000030
【図２８】
2020119711.tif 000031
【図２９】
2020119711.tif 000032
【図３０】
2020119711.tif 000033
【図３１】
2020119711.tif 000034
【図３２】
2020119711.tif 000035